(57)【要約】【課題】横置き及び縦置きのいずれの設置方向にも機器を設置可能とすること。【解決手段】短辺及び長辺を有する矩形形状の機器１を壁面８に固定する機器取付板である機器取付板２が、地面に対して機器１の短辺が平行となる向きで機器１を取り付ける際に、機器１の第１のツメと嵌合する第１のツメ嵌合用穴と、地面に対して機器１の長辺が平行となる向きで機器１を取り付ける際に、機器１の第２のツメと嵌合する第２のツメ嵌合用穴と、機器１を取り付ける際に、機器１が鉛直方向に対して左右に動かないよう第１のツメ及び第２のツメを固定する嵌合補助部とを有する。【選択図】図１
2018098361.tif 000002
【特許請求の範囲】
【請求項１】
短辺及び長辺を有する矩形形状の機器を壁面に固定する機器取付板であって、
地面に対して前記機器の前記短辺が平行となる向きで前記機器を取り付ける際に、前記機器の第１のツメと嵌合する第１のツメ嵌合用穴と、
前記地面に対して前記機器の前記長辺が平行となる向きで前記機器を取り付ける際に、前記機器の第２のツメと嵌合する第２のツメ嵌合用穴と、
前記機器を取り付ける際に、前記機器が鉛直方向に対して左右に動かないよう前記第１のツメ及び前記第２のツメを固定する嵌合補助部とを有することを特徴とする機器取付板。
【請求項２】
前記第１のツメと前記第１のツメ嵌合用穴との組合せ、及び前記第２のツメと前記第２のツメ嵌合用穴との組合せを、前記機器の短辺方向及び長辺方向に各々２組以上有することを特徴とする請求項１に記載の機器取付板。
【請求項３】
前記第１のツメと前記第１のツメ嵌合用穴で構成される組合せと、前記第２のツメと前記第２のツメ嵌合用穴で構成される組合せとを一体化した第２の組合せを有することを特徴とする請求項１に記載の機器取付板。
【請求項４】
短辺及び長辺を有する矩形形状の機器と、この機器を壁面に固定する機器取付板とを備える機器取付システムであって、
前記機器は、
地面に対して前記機器の前記短辺が平行となる向きで取り付ける際に嵌合する第１のツメと、
前記地面に対して前記機器の前記長辺が平行となる向きで取り付ける際に嵌合する第２のツメとを有し、
前記機器取付板は、
前記第１のツメと嵌合する第１のツメ嵌合用穴と、
前記第２のツメと嵌合する第２のツメ嵌合用穴と、
前記機器を前記機器取付板に取り付ける際に、前記機器が鉛直方向に対して左右に動かないよう前記第１のツメ及び前記第２のツメを固定する嵌合補助部とを有することを特徴とする機器取付システム。
【請求項５】
前記第１のツメ及び前記第１のツメ嵌合用穴で構成される組合せと、前記第２のツメ及び前記第２のツメ嵌合用穴で構成される組合せとは、前記機器の短辺方向又は長辺方向に各々２組以上有することを特徴とする請求項４に記載の機器取付システム。
【請求項６】
前記第１のツメ及び前記第１のツメ嵌合用穴で構成される組合せと、前記第２のツメ及び前記第２のツメ嵌合用穴で構成される組合せとを一体化した第２の組合せを有することを特徴とする請求項４に記載の機器取付システム。
【請求項７】
前記第１のツメ及び前記第２のツメは、前記第１のツメ嵌合用穴及び前記第２のツメ嵌合用穴と嵌合する際の接触面が斜面のテーパー形状であることを特徴とする請求項４から請求項６のいずれか一項に記載の機器取付システム。
【発明の詳細な説明】
【技術分野】
【０００１】
本発明は、壁面に機器を設置する機器取付板及び機器取付システムに関する。
【背景技術】
【０００２】
太陽光発電用電力変換機をはじめとする機器は、施工時に屋内又は屋外の壁面に設置される。このような機器には重量があるため、壁面への取付は確実に行われるべきである。また、機器の壁面への取付が容易であることを要する。これらの機器は、一般に短辺と長辺とを有する矩形形状であり、機器ごとに設置方向が決まっている。機器の施工者は、機器を設置する際に、ユーザの設置希望場所に応じて設置可能な機器を選定して設置し、又はユーザの設置希望機器に応じて設置可能な場所を選定して設置する。
【０００３】
なお、ここで、機器の設置方向については、地面又は天井面に対して短辺が平行となる向きの設置を「縦置き」と定義し、地面又は天井面に対して長辺が平行となる向きの設置を「横置き」と定義する。なお、以下の説明において、施工とは、機器を壁面に取り付ける作業をいう。
【０００４】
しかし、近年では、機器の設置方向が縦置き及び横置きのいずれか一方に制限される場合が多い。この理由の一つには、人目につきにくい場所、一例には洗面所又は脱衣所付近を設置場所にしたいとのユーザからの要請が多いことが挙げられる。もう一つの理由には、壁面に設けられたデザイン上の段差又は既設の設備による段差によって、設置場所の面積が狭い場合が多いことが挙げられる。従って、機器の施工者は、設置案件ごとに設置方向に対応した機器を選定することを要する。縦置きが必要な設置案件において、横置きの機器しか準備できない場合には設置不可能である。このように設置不可能な場合には、設置場所を拡大するための壁面の工事により対応可能な場合もあるが、施工に要する時間及び作業工程が増加してしまう。
【０００５】
従来技術の一例である特許文献１には、機器の重量を受け止めるツメと機器の底面部を支える平面部とを有する機器取付板を壁面に固定し、機器のツメ嵌合部を機器取付板のツメに嵌合させることで、機器が壁面に固定される技術が開示されている。このツメは機器の落下方向である重力方向で嵌合部に入り込んでいるため、ツメ又は嵌合部が破損しない限り、機器が落下するおそれはない。
【先行技術文献】
【特許文献】
【０００６】
【特許文献１】特開平０８−０３２２４７号公報
【発明の概要】
【発明が解決しようとする課題】
【０００７】
しかしながら、上記の従来技術は、機器の設置方向の一方向に対しては有効であるが、他の設置方向で機器を取り付けようとすると、ツメと嵌合部とが重力方向に垂直となり、左右方向の外力がかかると機器が容易に外れるおそれがある。そのため、機器の設置方向が制限され、設置場所が縦置き又は横置きのいずれかに制限される場合には、当該設置場所に機器を設置することが困難である、という問題があった。
【０００８】
本発明は、上記に鑑みてなされたものであって、横置き及び縦置きのいずれの方向でも機器を設置可能とする機器取付板を得ることを目的とする。
【課題を解決するための手段】
【０００９】
上述した課題を解決し、目的を達成するために、本発明は、短辺及び長辺を有する矩形形状の機器を壁面に固定する機器取付板であって、地面に対して前記機器の前記短辺が平行となる向きで前記機器を取り付ける際に、前記機器の第１のツメと嵌合する第１のツメ嵌合用穴と、前記地面に対して前記機器の前記長辺が平行となる向きで前記機器を取り付ける際に、前記機器の第２のツメと嵌合する第２のツメ嵌合用穴と、前記機器を取り付ける際に、前記機器が鉛直方向に対して左右に動かないよう前記第１のツメ及び前記第２のツメを固定する嵌合補助部とを有することを特徴とする。
【発明の効果】
【００１０】
本発明の機器取付板によれば、横置き及び縦置きのいずれの設置方向でも機器を設置可能とすることができるという効果を奏する。
【図面の簡単な説明】
【００１１】
【図１】実施の形態１に係る機器取付板を用いて壁面に横方向に機器を設置するときの斜視図を示す図
【図２】図１に示す機器を機器と機器取付板との接合面側から観察した様子を示す斜視図
【図３】図１に示す機器取付板を機器と機器取付板との接合面側から観察した様子を示す斜視図
【図４】実施の形態１に係る機器取付板を用いて壁面に縦方向に機器を設置するときの斜視図を示す図
【図５】図４に示す機器を機器と機器取付板との接合面側から観察した様子を示す斜視図
【図６】図４に示す機器取付板を機器と機器取付板との接合面側から観察した様子を示す斜視図
【図７】機器を取り付ける際にいずれか一方向にのみ有効となるツメの正面及び側面を示す図
【図８】機器をいずれか一方向にのみ取り付ける際に有効となるツメ嵌合用穴の形状の正面を示す図
【図９】機器をいずれの方向に取り付ける際にも有効となるツメの正面及び側面を示す図
【図１０】図９に示すツメが嵌合するツメ嵌合用穴の正面を示す図
【図１１】図１において機器取付板を機器取付板と壁面との接合面側から観察した際の斜視図
【図１２】図４に示す機器取付板を機器取付板と壁面との接合面側から観察した様子を示す斜視図
【図１３】図１に示す取付動作時の機器取付板を機器取付板と壁面との接合面側から観察した際の投影図
【図１４】図４に示す取付動作時の機器取付板を機器取付板と壁面との接合面側から観察した際の投影図
【図１５】図１に示す取付動作時の嵌合補助部とツメとを示す斜視図
【図１６】実施の形態２における機器を機器取付板へ横方向又は縦方向のいずれか一方向に取り付ける際に有効となる嵌合補助部を２組、縦方向に取り付ける際に有効となる嵌合補助部を２組配置した場合の各部品の状態を示す斜視図
【図１７】実施の形態１における機器を機器取付板へ横方向に取り付ける際に有効となるツメを固定する嵌合補助部を含む組を３組、縦方向に取り付ける際に有効となるツメを固定する嵌合補助部を含む組を２組配置した場合の各部品の状態を示す斜視図
【図１８】実施の形態３における機器を横方向及び縦方向のいずれか一方向にのみ取り付ける際に有効となるツメの正面及び側面を示す図
【図１９】実施の形態３における機器を横方向及び縦方向いずれの方向に取り付ける際にも有効となるツメの正面及び側面を示す図
【発明を実施するための形態】
【００１２】
以下に、本発明の実施の形態に係る機器取付板及び機器取付システムを図面に基づいて詳細に説明する。なお、この実施の形態によりこの発明が限定されるものではない。
【００１３】
実施の形態１．
図１は、実施の形態１に係る機器取付板を用いて壁面に横方向に機器を設置するときの斜視図を示す図である。また、図４は、実施の形態１に係る機器取付板を用いて壁面に縦方向に機器を設置するときの斜視図を示す図である。図１，４に示される機器１と機器取付板２とは、機器取付システム１００を構成している。
【００１４】
なお、機器の設置方向については、上記したように、図４に示す地面又は天井面に対して短辺が平行となる向きの設置を「縦置き」と定義し、図１に示す地面又は天井面に対して長辺が平行となる向きの設置を「横置き」と定義しているが、一般に、地面又は天井面と重力方向、すなわち鉛直方向とは垂直である。そのため、「横方向」は、図１に示すように、矩形形状の機器の短辺が重力方向に平行となる向きと定義し、「縦方向」は、図４に示すように、矩形形状の機器の長辺が重力方向に平行となる向きと定義する。
【００１５】
なお、実施の形態１では、機器１に太陽光発電用電力変換機を例示して説明するが、本発明はこれに限定されるものではなく、機器１は特定の機器に限定されるものではない。
【００１６】
図１，４では、機器取付板２には、嵌合補助部７２が格納され、ツメ嵌合用穴４，６１，６２が配置されており、機器取付板２は、壁面８に対して横方向又は縦方向に取り付けられ、機器取付板２のツメ嵌合用穴４，６１，６２と、機器取付板２の嵌合補助部７２と、図１，４では不図示の機器１のツメ３，５１，５２とにより、機器１が機器取付板２に取り付けられている。これらのツメと、ツメ嵌合用穴と、嵌合補助部には２種類が存在し、これらを組み合わせて配置している。第１の組合せは、いずれか一方向にのみ有効となる組合せであり、第２の組合せは、いずれの方向でも有効となる組合せである。
【００１７】
図２は、図１に示す機器１を機器１と機器取付板２との接合面側から観察した様子を示す斜視図である。図３は、図１に示す機器取付板２を機器１と機器取付板２との接合面側から観察した様子を示す斜視図である。なお、図２，３には、上記の第１の組合せを２組有し、上記の第２の組合せを１組有する場合を例示している。ただし、機器取付板２の形状は、図１から図３に示す形状に限定されるものではない。
【００１８】
また、図１７に示すように、上記の第１の組合せが３組以上設けられていてもよい。図１７は、実施の形態１における機器１を機器取付板２へ横方向に取り付ける際に有効となるツメを固定する嵌合補助部７１を含む組を３組、縦方向に取り付ける際に有効となるツメを固定する嵌合補助部７２を含む組を２組配置した場合の各部品の状態を示す斜視図である。なお、図１７では、機器取付板２の内部を示すために取付板背面２ａの一部を非表示にしている。
【００１９】
図２，３において、上記の第１の組合せの１組は、機器１を横方向に取り付ける場合に有効であり、第１の組合せのもう１組は、機器１を縦方向に取り付ける場合に有効である。なお、図５は、図４に示す機器１を機器１と機器取付板２との接合面側から観察した様子を示す斜視図である。図６は、図４に示す機器取付板２を機器１と機器取付板２との接合面側から観察した様子を示す斜視図である。図５は図２に対応し、図６は図３に対応するため、説明は省略する。
【００２０】
図７は、機器１を取り付ける際にいずれか一方向にのみ有効となるツメ５１，５２の正面及び側面を示す図である。図８は、機器１をいずれか一方向にのみ取り付ける際に有効となるツメ嵌合用穴６１，６２の形状の正面を示す図である。また、図１１は、図１において機器取付板２を機器取付板２と壁面８との接合面側から観察した際の斜視図である。なお、図１１では、機器取付板２の内部を示すために、取付板背面２ａの一部を非表示にしている。いずれか一方向にのみ有効な第１の組合せでは、図７に示すツメ５１，５２と、図８に示すツメ嵌合用穴６１，６２と、図１１に示す板及び回転軸を用いた嵌合補助部７１，７２とを有する。ツメ５１は、機器１側に配置されており、幅Ａ５１、奥行Ｂ５１及び高さＣ５１の平板の端面に同一幅で奥行Ｄ５１及び高さＥ５１の形状を有する。なお、高さＥ５１は、高さＣ５１よりも大きい。ツメ５１は、高さＣ５１及び幅Ａ５１で形成される面と機器取付板２と接する面とが接する方向に配置される。
【００２１】
図８に示すように、ツメ嵌合用穴６１は、機器取付板２側に配置され、幅Ａ６１及び高さＥ６１の開口と、幅（Ｆ６１−Ａ６１）及び高さＥ６１の開口とが、重なり量Ｃ６１で重なった形状である。また、ツメ嵌合用穴６１の貫通した奥行はＢ６１である。一例として、貫通した奥行Ｂ６１は、機器取付板２に設けられた場合には機器取付板２の板厚である。そして、幅Ａ６１は、幅Ａ５１が通る大きさであり、高さＥ６１は、高さＥ５１が通る大きさであり、幅Ｆ６１は、高さ（Ｅ５１−Ｃ５１）が通る大きさであり、重なり量Ｃ６１は、高さＣ５１が通る大きさである。また、奥行Ｂ６１は、奥行Ｂ５１よりも小さい。なお、幅及び高さをはじめとする寸法の括弧書きについては、一例として幅（Ｆ６１−Ａ６１）は、幅Ｆ６１の辺から幅Ａ６１の辺を差し引いた部分を示している。
【００２２】
図１３は、図１に示す取付動作時の機器取付板２を機器取付板２と壁面８との接合面側から観察した際の投影図である。なお、図１３では、機器取付板２のツメ嵌合用穴６１及びツメ５１の状態を示すために、取付板背面２ａの一部と嵌合補助部７，７１，７２とを非表示にしている。
【００２３】
図１５は、図１に示す取付動作時の嵌合補助部７，７２とツメ３，５２とを示す斜視図である。なお、図１５では、嵌合補助部７，７２とツメ３，５２の状態を示すために、機器取付板２を非表示にしている。図１５には、機器１が機器取付板２に押し込まれる際、機器１のツメ３を押し込むとツメ５２が嵌合補助部７２と接触する様子が示されている。
【００２４】
図１１に示すように、嵌合補助部７１は、機器取付板２側に配置され、嵌合補助の板７１ａと嵌合軸７１ｂと固定板７１ｃとを有する。板７１ａ及び固定板７１ｃには、嵌合軸７１ｂが通る軸穴７１ｄが設けられ、固定板７１ｃに対して、板７１ａが嵌合軸７１ｂの周りに９０°未満の角度７１ｅの姿勢に変化する構造である。板７１ａは、重力方向に平行となる方向に角度７１ｅの姿勢で動く。板７１ａの動く前の姿勢は、重力方向に平行となる方向に０°より大きい姿勢とする。
【００２５】
上記の姿勢の一例では、図１１に示すように、固定板７１ｃに、板７１ａが０°より大きく９０°未満の範囲で動くように拘束する突起７１ｇが設けられている。なお、この範囲以上に板７１ａが動こうとすると、板７１ａと突起７１ｇとが接触して板７１ａの動きが妨げられることになる。また、嵌合補助部７１は、ツメ５１の高さＥ５１及び幅Ａ５１で形成される面を、この面からツメ嵌合用穴６１の高さＥ６１及び幅Ａ６１で形成される開口に押し込んだ際に、嵌合補助部７１の面７１ｆと、ツメ５１の高さＥ５１及び奥行Ｄ５１で形成される面とが、幅Ａ５１未満となる距離に配置される構造である。板７１ａが上記の位置にない場合には、機器１のツメ５１がツメ嵌合用穴６１の高さＥ６１及び幅Ａ６１で形成される面と嵌合した後、機器１を左右方向に動かすと、ツメ５１がツメ嵌合用穴６１の高さＥ６１及び幅（Ｆ６１−Ａ６１）で形成される面と嵌合してしまう。すなわち、斜め下方向に機器１がずれ込む。嵌合補助部７１は、機器１が機器取付板２に対して相対的に左右方向に動かないようにするストッパーとして機能する。
【００２６】
図７において、ツメ５２は、機器１側に配置され、幅Ａ５２、奥行Ｂ５２及び高さＣ５２の平板の端面に同一幅で奥行Ｄ５２及び高さＥ５２の形状を有する。なお、高さＥ５２は、高さＣ５２よりも大きい。ツメ５２は、高さＣ５２及び幅Ａ５２で形成される面と、機器取付板２と接する面とが接する方向に配置される。
【００２７】
図８において、ツメ嵌合用穴６２は、機器取付板２側に配置され、幅Ａ６２及び高さＥ６２で形成される開口と、幅（Ｆ６２−Ａ６２）及び高さＥ６２で形成される開口とが、重なり量Ｃ６２で重なって繋がった形状である。また、ツメ嵌合用穴６２の貫通した奥行はＢ６２である。一例として、貫通した奥行Ｂ６２は、機器取付板２に設けられた場合には機器取付板２の板厚である。幅Ａ６２は、幅Ａ５２が通る大きさであり、高さＥ６２は、高さＥ５２が通る大きさであり、幅Ｆ６２は、高さ（Ｅ５２−Ｃ５２）が通る大きさであり、重なり量Ｃ６２は、高さＣ５２が通る大きさである。また、奥行Ｂ６２は、奥行Ｂ５２よりも小さい。
【００２８】
図１２は、図４に示す機器取付板２を機器取付板２と壁面８との接合面側から観察した様子を示す斜視図である。なお、図１２では、機器取付板２の内部を示すために取付板背面２ａの一部を非表示にしている。図１４は、図４に示す取付動作時の機器取付板２を機器取付板２と壁面８との接合面側から観察した際の投影図である。なお、図１４では、機器取付板２のツメ嵌合用穴６２及びツメ５２の状態を示すために、取付板背面２ａの一部と嵌合補助部７，７１，７２とを非表示にしている。
【００２９】
図１２に示すように、嵌合補助部７２は、機器取付板２側に配置され、嵌合補助の板７２ａと嵌合軸７２ｂと固定板７２ｃとを有する。板７２ａ及び固定板７２ｃには、嵌合軸７２ｂが通る軸穴７２ｄが設けられ、固定板７２ｃに対して、板７２ａが嵌合軸７２ｂの周りに９０°未満の角度７２ｅの姿勢に変化する構造である。板７２ａは、重力方向に平行となる方向に角度７２ｅの姿勢で動く。板７２ａの動く前の姿勢は、重力方向に平行となる方向に０°より大きい姿勢とする。
【００３０】
上記の姿勢の一例では、図１２に示すように、固定板７２ｃに、板７２ａが０°より大きく９０°未満の範囲で動くように拘束する突起７２ｇが設けられている。なお、この範囲以上に板７２ａが動こうとすると、板７２ａと突起７２ｇとが接触して板７２ａの動きが妨げられることになる。また、嵌合補助部７２は、ツメ５２の高さＥ５２及び幅Ａ５２で形成される面を、この面からツメ嵌合用穴６２の高さＥ６２及び幅Ａ６２で形成される開口に押し込んだ際に、嵌合補助部７２の面７２ｆと、ツメ５２の高さＥ５２及び奥行Ｄ５２で形成される面とが、幅Ａ５２未満となる距離に配置される構造である。板７２ａが上記の位置にない場合には、機器１のツメ５２がツメ嵌合用穴６２の高さＥ６２及び幅Ａ６２で形成される面と嵌合した後、機器１を左右方向に動かすと、ツメ５２がツメ嵌合用穴６２の高さＥ６２及び幅（Ｆ６２−Ａ６２）で形成される面と嵌合してしまう。すなわち、斜め下方向に機器１がずれ込む。嵌合補助部７２は、機器１が機器取付板２に対して相対的に左右方向に動かないためのストッパーとして機能する。
【００３１】
図９は、機器１をいずれの方向に取り付ける際にも有効となるツメ３の正面及び側面を示す図である。図１０は、図９に示すツメ３が嵌合するツメ嵌合用穴４の正面を示す図である。横方向及び縦方向のいずれの方向でも有効な第２の組合せでは、図９に示すツメ３と、図１０に示すツメ嵌合用穴４と、板及び回転軸を用いた嵌合補助部７とを有する。ツメ３は、機器１側に配置され、幅Ａ３１、奥行Ｂ３１及び高さＣ３１の平板の端面に同一幅で奥行Ｄ３１及び高さＥ３１の形状を有するツメ３１と、幅Ａ３２、奥行Ｂ３２及び高さＣ３２の平板の端面に同一幅で奥行Ｄ３２及び高さＥ３２の形状を有するツメ３２とが直角に接続された形状である。ここでは、ツメ３１とツメ３２との接続部を曲線状にしている。なお、高さＥ３１は高さＣ３１よりも大きく、高さＥ３２は高さＣ３２よりも大きい。なお、ツメ３は、２つのツメが直角に接続された形状ではなく、１枚の平板を曲げて形成されたものでもよい。また、ツメ３は、機器１を横方向に取り付ける際に、重力方向と高さＥ３１とが平行となる向きに配置され、又は高さＣ３１及び幅Ａ３１で形成される面と、機器取付板２と接する面とが接する方向に配置される。
【００３２】
図１０に示すように、ツメ嵌合用穴４は、機器取付板２側に配置され、幅Ａ４１及び高さＥ４１で形成される開口と幅（Ｆ４１−Ａ４１）及び高さＥ４１で形成される開口とが、重なり量Ｃ４１で重なって繋がった形状と、幅Ａ４２及び高さＥ４２の開口と幅（Ｆ４２−Ａ４２）及び高さＥ４２の開口とが重なり量Ｃ４２で重なって繋がった形状とが、開口の一部を共有して直角に接続された形状である。また、ツメ嵌合用穴４の貫通した奥行はＢ４である。一例として、貫通した奥行Ｂ４は、機器取付板２に設けられた場合には機器取付板２の板厚である。幅Ａ４１は、幅Ａ３１が通る大きさであり、高さＥ４１は、高さＥ３１が通る大きさであり、幅Ｆ４１は、高さ（Ｅ３２−Ｃ３２）が通る大きさであり、重なり量Ｃ４１は、高さＣ３１が通る大きさである。また、奥行Ｂ４は、奥行Ｂ３１よりも小さい。幅Ａ４２は、幅Ａ３２が通る大きさであり、高さＥ４２は、高さＥ３２が通る大きさであり、幅Ｆ４２は、高さ（Ｅ３１−Ｃ３１）が通る大きさであり、重なり量Ｃ４２は、高さＣ３２が通る大きさである。また、奥行Ｂ４は、奥行Ｂ３２よりも小さい。
【００３３】
図１１，１２に示すように嵌合補助部７は、機器取付板２側に配置され、嵌合補助の板７ａと嵌合軸７ｂと固定板７ｃとを有する。板７ａ及び固定板７ｃには、嵌合軸７ｂが通る軸穴７ｄが設けられており、固定板７ｃに対して、板７ａが嵌合軸７ｂの周りに９０°未満の角度７ｅの姿勢に変化する構造である。板７ａは、重力方向に平行となる方向に角度７ｅの姿勢で動く。板７ａの動く前の姿勢は、重力方向に平行となる方向に０°より大きい姿勢である。
【００３４】
上記の姿勢の一例では、嵌合補助部７は、図１１に示すように、固定板７１ｃに、板７１ａが０°より大きく９０°未満の範囲で動くように拘束する突起７１ｇが設けられた構成と同様の構成であり、固定板７１ｃを固定板７ｃに置き換え、板７１ａを板７ａに置き換え、突起７１ｇを突起７ｇに置き換えたものである。また、嵌合補助部７は、１つはツメ３の高さＥ３１及び幅Ａ３１で形成される面を、この面からツメ嵌合用穴４の高さＥ４１及び幅Ａ４１で形成される開口に押し込んだ際に、嵌合補助部７の面７ｆと、ツメ３の高さＥ３１及び奥行Ｄ３１で形成される面とが、幅Ａ３１未満となる距離に配置される構造である。もう１つはツメ３の高さＥ３２及び幅Ａ３２で形成される面を、この面からツメ嵌合用穴４の高さＥ４２及び幅Ａ４２で形成される開口に押し込んだ際に、嵌合補助部７の面７ｆと、ツメ３の高さＥ３２及び奥行Ｄ３２で形成される面とが、幅Ａ３２未満となる距離に配置される構造である。
【００３５】
なお、上記したツメ３，５１，５２、ツメ嵌合用穴４，６１，６２及び嵌合補助部７，７１，７２は、上記の嵌合関係を実現できれば図示した配置に限定されるものではない。
【００３６】
ところで、機器１を横方向に取り付ける場合には、壁面８に機器取付板２を横置きに固定している。このとき、嵌合補助部７，７１，７２は、図１１の配置で存在するため、重力により、横方向の取付で有効となる角度７ｅ及び嵌合補助部７１の板７ａ，７１ａが各々角度７ｅ，７１ｅの姿勢に動く。機器１のツメ３，５１，５２が、各々機器取付板２の対応するツメ嵌合用穴４の幅Ａ４１及び高さＥ４１で形成される面と、幅Ａ６１及び高さＥ６１で形成される面と、幅（Ｆ６２−Ａ６２）及び高さＥ６２で形成される面とに通される。機器１が重力方向に高さ（Ｅ５１−Ｃ５１）だけ動き、ツメ３の奥行Ｂ３１及び幅Ａ３１で形成される面と、ツメ５１の奥行Ｂ５１及び幅Ａ５１で形成される面とを、ツメ嵌合用穴４の幅Ａ４１及び奥行Ｂ４で形成される面と、ツメ嵌合用穴６１の奥行Ｂ６１及び幅Ａ６１で形成される面とに接触させる。
【００３７】
また、機器１を縦方向に取り付ける場合には、壁面８に機器取付板２を縦置きに固定している。このとき、嵌合補助部７，７１，７２は、図１２の配置で存在するため、重力により、縦方向の取付で有効となる角度７ｅ及び嵌合補助部７１の板７ａ，７１ａが各々角度７ｅ，７１ｅの姿勢に動く。機器１のツメ３，５１，５２を各々機器取付板２の対応するツメ嵌合用穴の幅Ａ４１及び高さＥ４１で形成される面と、幅Ａ６１及び高さＥ６１で形成される面と、幅（Ｆ６２−Ａ６２）及び高さＥ６２で形成される面とに通される。機器１が重力方向に高さ（Ｅ５１−Ｃ５１）だけ動き、ツメ３の奥行Ｂ３１及び幅Ａ３１と、ツメ５１の奥行Ｂ５１及び幅Ａ５１で形成される面とを、ツメ嵌合用穴４の幅Ａ４１及び奥行Ｂ４で形成される面と、ツメ嵌合用穴６１の奥行Ｂ６１及び幅Ａ６１で形成される面とに接触させる。
【００３８】
なお、機器１を横方向に取り付ける際に、縦方向の取付で有効となるツメ５２もツメ嵌合用穴６２を通る。このとき、縦方向の取付で有効となる嵌合補助部７２の板７２ａが角度７２ｅの姿勢で動いていると、ツメ５２と板７２ａとが接触して互いの動きを妨げるおそれがあるが、板７２ａの動く角度７２ｅが９０°未満であるため、ツメ５２のツメ嵌合用穴６２への挿入動作で、板７２ａの突起７２ｇがツメ５２の幅Ｅ５２の部分と接触し、板７２ａがもとの姿勢に押し戻される構造となっている。
【００３９】
また、このとき、ツメ３は、奥行Ｄ３１及び高さＥ３１で形成される面が、横方向で有効となる嵌合補助部７の板７ａの面７ｆとの間で幅Ａ３１未満の距離を保った状態で配置される。この状態で機器１が機器取付板２に対して相対的に機器１の長手方向に動こうとすると、ツメ３は、奥行Ｄ３１及び高さＥ３１で形成される面が、嵌合補助部７の板７ａの面７ｆを押す外力が生じるが、外力の方向が嵌合補助部７の嵌合軸７ｂの軸方向と平行な向きであるため、この外力によって、横方向で有効となる嵌合補助部７の板７ａの角度７ｅの姿勢がもとの姿勢に戻ってしまうことはない。この作用は、他のツメ、他のツメ嵌合用穴及び他の嵌合補助部の組合せでも同様であり、機器１を取り付ける方向が横向き及び縦向きのいずれであっても有効である。
【００４０】
以上説明した実施の形態１によれば、重力方向のツメとツメ嵌合用穴との嵌合により、機器１の取付動作は設置方向によらず同一であるため施工性がよい。すなわち、取付を確実に行うことができ、且つ取付作業が容易である。また、１台の機器で横方向及び縦方向のいずれの方向にも対応できるため、機器１の取付構造部品を統一することができる。また、機器１と機器取付板２とが２箇所で嵌合するため、機器１が重量物でも安定して壁面８に固定することができる。特に、２箇所の嵌合箇所が機器１の重心を挟むように配置すると、機器１の取付がより安定する。また、ツメとツメ嵌合用穴とは、１組で機器１を横方向及び縦方向のいずれの方向にも取り付けることができるため、嵌合部分が省スペースとなる。
【００４１】
実施の形態２．
図１６は、実施の形態２における機器１を機器取付板２へ横方向又は縦方向のいずれか一方向に取り付ける際に有効となる嵌合補助部７１を２組、縦方向に取り付ける際に有効となる嵌合補助部７２を２組配置した場合の各部品の状態を示す斜視図である。なお、図１６では、機器取付板２の内部を示すために取付板背面２ａの一部を非表示にしている。実施の形態２は、横方向又は縦方向のいずれか一方向にのみ有効となる組合せである第１の組合せを２組設けた形態であり、実施の形態２では、いずれの方向でも有効となる組合せである第２の組合せは設けられていない。その他の点は、実施の形態１と同様であるため、実施の形態１の説明を援用する。
【００４２】
図１６に示す実施の形態２の構成によれば、部品の共通化ができ、実施の形態１よりも部品点数を削減することができる。
【００４３】
実施の形態３．
図１８は、実施の形態３における機器１を横方向及び縦方向のいずれか一方向にのみ取り付ける際に有効となるツメ５１０，５２０の正面及び側面を示す図である。図１９は、実施の形態３における機器１を横方向及び縦方向いずれの方向に取り付ける際にも有効となるツメ３０の正面及び側面を示す図である。実施の形態３では、ツメ３０，５１０，５２０において、面Ｆ３０，Ｆ５１０，Ｆ５２０が斜面であり、ツメの形状がテーパー形状である点が実施の形態１，２と異なる。その他の点は、実施の形態１，２と同様であるため、実施の形態１，２の説明を援用する。
【００４４】
機器１を横方向に取り付ける際には、ツメ５１０が不図示のツメ嵌合用穴を通る。このとき、縦方向の取付で有効となる嵌合補助部７２の板７２ａが動くと、ツメ５１０と板７１ａとが接触して互いの動きを妨げるおそれがあるが、板７２ａの動く角度７２ｅが９０°未満であるため、ツメ５１０のツメ嵌合用穴６１への挿入動作で、板７２ａの突起７２ｇがツメ５１０の面Ｆ５１０と接触し、板７２ａがもとの姿勢に押し戻される構造となっている。なお、これは、機器１を縦方向に取り付ける際も同様である。
【００４５】
以上説明した実施の形態３によれば、ツメ５１０，５２０がより容易に板７２ａをもとの姿勢に押し戻すことができるため、実施の形態１，２と比べて機器１の施工性がよい。
【００４６】
以上説明したように、実施の形態１から３の機器取付システムは、Ｌ型のツメと、機器取付板と、ツメ嵌合用穴と、嵌合補助部とを有する。ツメは鉤状であり、ツメ嵌合用穴は機器の取り付け動作の際に、鉤状のツメの移動範囲で互いの動きを妨げず、機器取り付け時にはツメと嵌合用の穴とが嵌合する形状である。嵌合補助部は、機器を横方向及び縦方向の各々に対応して設け、機器の取付方向の各々の重力によって動く構造であり、機器を横方向に取り付ける場合には横方向用の嵌合補助部が、縦方向に取り付ける場合には縦方向用の嵌合補助部が動く。そして、機器を壁面に固定した機器取付板に取り付ける際には、機器を取り付ける方向を決め、鉤状のツメをツメ嵌合用穴に通し、そのまま重力方向に機器を下げ、ツメとツメ嵌合用穴の嵌合部とを接触させることで両者を嵌合させる。このとき、嵌合補助部が重力により動き、機器が機器取付板に対して左右方向に動くことを防止している。
【００４７】
また、嵌合補助部が動く際に、嵌合補助部が動く方向と、機器１が機器取付板２に対して機器が動く方向とは一致しない。従って、機器１が機器取付板２に対して左右方向に動き、嵌合補助部を押し込んでも、嵌合補助部が動く前の形状に押し戻されることはない。
【００４８】
逆に、例えば機器１を横方向に取り付ける際に機器１を縦方向に取り付ける際の嵌合補助部が動いている場合には、嵌合補助部が動く際に嵌合補助部が動く方向とツメが押し込まれる方向とが一致する。従って、縦方向に取り付ける際の嵌合補助部は機器１の取付動作でツメに押され、動く前の状態に戻るため機器１の取付動作に影響しない構造となっている。また、機器１と機器取付板２との取付をより確実にするために、両者を取り付けた後にねじで締結固定してもよい。
【００４９】
以上説明した実施の形態１から３によれば、機器の設置方向を横置き及び縦置きのいずれにもすることができ、機器の取付動作は、設置方向によらず、同一であるため施工性がよい。また、１台の機器で縦置き及び横置きの双方に対応するため、機器の取付構造部品を統一することができる。
【００５０】
なお、以上説明した実施の形態１から３では、本発明に係る機器取付板及び機器取付システムによって取り付けられる機器について説明したが、本発明はこれに限定されず、上記説明した形態の機器の構造を有するカバーであってもよい。
【００５１】
なお、以上説明した実施の形態１から３では、本発明に係る機器取付板について説明したが、本発明はこれに限定されず、機器に代えて機器以外の矩形形状物が設置されてもよい。
【００５２】
なお、以上説明した実施の形態１から３では、本発明に係る機器取付板について説明したが、本発明はこれに限定されず、機器と機器取付板とを含む機器取付システムも本発明に含まれるものである。
【００５３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】
１  機器、２  機器取付板、２ａ  取付板背面、３，３０，３１，３２，５１，５２，５１０，５２０  ツメ、４，６１，６２  ツメ嵌合用穴、７，７１，７２  嵌合補助部、８  壁面、７ａ，７１ａ，７２ａ  板、７ｂ，７１ｂ，７２ｂ  嵌合軸、７ｃ，７１ｃ，７２ｃ  固定板、７ｄ，７１ｄ，７２ｄ  軸穴、７ｅ，７１ｅ，７２ｅ  角度、７ｆ，７１ｆ，７２ｆ  面、７ｇ，７１ｇ，７２ｇ  突起、１００  機器取付システム。
【図１】
2018098361.tif 000003
【図２】
2018098361.tif 000004
【図３】
2018098361.tif 000005
【図４】
2018098361.tif 000006
【図５】
2018098361.tif 000007
【図６】
2018098361.tif 000008
【図７】
2018098361.tif 000009
【図８】
2018098361.tif 000010
【図９】
2018098361.tif 000011
【図１０】
2018098361.tif 000012
【図１１】
2018098361.tif 000013
【図１２】
2018098361.tif 000014
【図１３】
2018098361.tif 000015
【図１４】
2018098361.tif 000016
【図１５】
2018098361.tif 000017
【図１６】
2018098361.tif 000018
【図１７】
2018098361.tif 000019
【図１８】
2018098361.tif 000020
【図１９】
2018098361.tif 000021